(57)【要約】【課題】  吊下げ必要時に吊下げ可能にされる紙箱において、蓋フラップのロック必要時に該蓋フラップを容易にロック可能にし、かつ容易にロック解除可能にすること。【解決手段】  紙箱１であって、蓋フラップ３１の押込舌片５２が押込まれることにより第１の端フラップ３３の係合部５３の裏側に係合して蓋フラップ３１をロック可能にし、第１の端フラップ３３における蓋フラップ３１の切欠窓５１に臨む部分が押込まれることにより上記押込舌片５２の係合を外して蓋フラップ３１のロックを解除可能にするもの。【選択図】  図４
2010208674.tif 000002
【特許請求の範囲】
【請求項１】
相対する第１と第２の側板と、それらの側板に交差して相対する第１と第２の端板とにより箱胴部を構成し、
第１と第２の端板の各上辺に連設される第１と第２の端フラップが箱胴部の開口側に折り込み可能にされ、
第１の側板の上辺に連設される蓋フラップが箱胴部の開口側に折り込み済の第１と第２の端フラップの上側に折り込み可能にされ、この蓋フラップの先端の差込片を第２の側板の裏側に差し込み可能にされ、
蓋フラップに吊下げ片が連設されてなる紙箱であって、
蓋フラップに切欠窓が設けられるとともに、この切欠窓に沿う一部に押込舌片が切込形成され、
第１の端フラップにおける蓋フラップの切欠窓に臨む部分から蓋フラップの押込舌片の先端部と重なる位置まで延在される係合部を設け、
蓋フラップの押込舌片が押込まれることにより第１の端フラップの係合部の裏側に係合して蓋フラップをロック可能にし、第１の端フラップにおける蓋フラップの切欠窓に臨む部分が押込まれることにより上記押込舌片の係合を外して蓋フラップのロックを解除可能にする紙箱。
【請求項２】
第１の端板の上辺からの第１の端フラップの長さが、第１の側板の上辺に沿う蓋フラップの長さの半分より長く、第１の端フラップの先端が第２の端フラップの上に重なる請求項１に記載の紙箱。
【請求項３】
蓋フラップに連設される吊下げ片が蓋フラップの切欠窓から切り起こされたものである請求項１又は２に記載の紙箱。
【請求項４】
第１の端フラップの係合部が舌片状をなす請求項１〜３のいずれかに記載の紙箱。
【請求項５】
第１の端フラップの第１の端板の上辺に近接し、第２の側板に隣接する辺に第１の係止部が設けられ、第２の端フラップの第２の端板の上辺に近接し、第２の側板に隣接する辺に第２の係止部が設けられ、
蓋フラップの差込片が設けられる辺の両端部に、第１の端フラップの第１の係止部と第２の端フラップの第２の係止部のそれぞれが係止し得る係止用切込部が設けられてなる請求項１〜４のいずれかに記載の紙箱。
【発明の詳細な説明】
【技術分野】
【０００１】
本発明は紙箱に関する。
【背景技術】
【０００２】
容易に蓋が開かず、振動などによっても蓋の保持が外れにくい吊り下げ式包装用箱として、特許文献１に記載のものがある。特許文献１に記載の箱は、厚紙等の一枚のブランクシートから一体的に打ち抜かれた箱体形成片からなり、この箱体形成片には、互いに平行に連接された複数の側面と、この側面の端部に形成された蓋片と、上記側面のうち上記蓋片が形成された側面と対面する他の側面から延長して形成された吊り下げ片とを備え、この吊り下げ片と上記側面の中央上部に係止片が形成され、上記蓋片端部に連接して形成されている差込片には上記係止片が差し込まれる係止孔を有し、上記係止片が上記係止孔に差し込まれ係止されるようにしたものがある。
【０００３】
また、フラップをロックすることによって、包装箱を切り開いたりなどしない限り内容物を取り出すことができないようにする包装箱として、特許文献２に記載のものがある。特許文献２に記載の箱は、箱の正面側の上端に内フラップが延設され、箱の背面側の上端に吊り下げ片が延設され、更にこの吊り下げ片に外フラップが延設され、外フラップの端部に差込片が延設され、内フラップの基部に前記差込片の差込口が設けられ、且つこの差込口に外側から差込片を差し込んだときにその抜け出しを阻止するロック構造を備えているようにしたものである。
【先行技術文献】
【特許文献】
【０００４】
【特許文献１】特開2001-130545
【特許文献２】特開2007-168877
【発明の概要】
【発明が解決しようとする課題】
【０００５】
特許文献１に記載の箱は、箱を組立てて吊下げ片を吊下げ可能にするときに、吊下げ片に形成した係止片が蓋片に設けた差込片の係止孔に差し込まれ、蓋片が箱の振動や自重によって開かないようにロックされる。即ち、箱の組立時に必ず蓋片がロックされ、中身が重い箱ではそのロックを頑丈にする必要があるから、逆に蓋片を開封するときにロックを解除する大きな力が必要になる。
【０００６】
特許文献２に記載の箱は、箱を組立てて吊下げ片を吊下げ可能にするときに、吊下げ片に延設した外フラップの差込片が内フラップの基部の差込口に差し込まれ、外フラップ及び内フラップが箱の振動や自重によって開かないようにロックされる。即ち、箱の組立時に必ず外フラップ及び内フラップがロックされ、中身が重い箱ではそのロックを頑丈にする必要があるから、逆に外フラップ及び内フラップを開封するときにロックを解除する大きな力が必要になる。
【０００７】
本発明の課題は、吊下げ必要時に吊下げ可能にされる紙箱において、蓋フラップのロック必要時に該蓋フラップを容易にロック可能にし、かつ容易にロック解除可能にすることにある。
【課題を解決するための手段】
【０００８】
請求項１の発明は、相対する第１と第２の側板と、それらの側板に交差して相対する第１と第２の端板とにより箱胴部を構成し、第１と第２の端板の各上辺に連設される第１と第２の端フラップが箱胴部の開口側に折り込み可能にされ、第１の側板の上辺に連設される蓋フラップが箱胴部の開口側に折り込み済の第１と第２の端フラップの上側に折り込み可能にされ、この蓋フラップの先端の差込片を第２の側板の裏側に差し込み可能にされ、蓋フラップに吊下げ片が連設されてなる紙箱であって、蓋フラップに切欠窓が設けられるとともに、この切欠窓に沿う一部に押込舌片が切込形成され、第１の端フラップにおける蓋フラップの切欠窓に臨む部分から蓋フラップの押込舌片の先端部と重なる位置まで延在される係合部を設け、蓋フラップの押込舌片が押込まれることにより第１の端フラップの係合部の裏側に係合して蓋フラップをロック可能にし、第１の端フラップにおける蓋フラップの切欠窓に臨む部分が押込まれることにより上記押込舌片の係合を外して蓋フラップのロックを解除可能にするようにしたものである。
【発明の効果】
【０００９】
(a)蓋フラップのロックは、蓋フラップの押込舌片を第１の端フラップの係合部の裏側に係合させることによりなされるものであり、吊下げ片を吊下げ可能にするか否かに関係なくなされる。従って、複数の紙箱を段積み状態で陳列する等、吊下げないときには、蓋フラップを必ずしもロックする必要がない。また、紙箱を吊下げるにしても、箱の自重が軽いときには、蓋フラップを必ずしもロックする必要がない。このようなとき、蓋フラップを必要以上にロックすることがなくなり、紙箱の使い勝手が簡便になる。
【００１０】
(b)蓋フラップのロック必要時には、蓋フラップの押込舌片を押し込むだけで容易にロックできる。逆に、蓋フラップを開封するときには、第１の端フラップにおける蓋フラップの切欠窓に臨む部分を押し込むだけで、上述の蓋フラップのロックを容易に解除できる。
【図面の簡単な説明】
【００１１】
【図１】図１は紙箱の開封状態を示す斜視図である。
【図２】図２は紙箱の蓋フラップの閉鎖状態であって、蓋フラップの吊下げ片を起こしていない状態を示す斜視図である。
【図３】図３は紙箱の蓋フラップの閉鎖状態であって、蓋フラップの吊下げ片を起こした状態を示す斜視図である。
【図４】図４は紙箱の蓋フラップの閉鎖状態であって、蓋フラップの押込舌片を押し込んだロック状態を示す斜視図である。
【図５】図５は紙箱の展開状態を示す平面図である。
【発明を実施するための形態】
【００１２】
図１〜図４に示した紙箱１は、箱胴部１０と、箱胴部１０の底面を閉鎖する底部２０（不図示）を有し、箱胴部１０と底部２０が形成する収納空間に内容物を収容可能にし、箱胴部１０の開口を開閉する蓋部３０を有する。紙箱１は、吊下げて陳列に供し、又は段積みして陳列に供することができる。
【００１３】
紙箱１は、板紙等の厚紙を打ち抜いた図５に示す如くの展開素材を折り曲げて組立てられる。尚、厚紙の展開状態でいう各部の上辺、下辺とは、それぞれ、この厚紙が組立てられた紙箱１の組立状態で、各部の上辺、下辺を構成することとなるものを上辺、下辺という。
【００１４】
紙箱１は、組立状態で、相対する第１と第２の側板１１、１２と、それらの側板１１、１２に交差して相対する第１と第２の端板１３、１４とにより箱胴部１０を構成する。紙箱１の展開素材では、第２の側板１２の一端に折目ａを介して糊付フラップ１５を設け、第２の側板１２の他端に折目ｂを介して第２の端板１４を連設する。すなわち、端板１４は、第２の側板１２に相対する第１の側板１１から見ると一端に折目ｃを介して第２の端板１４を連設されている。また、第１の側板１１の他端は、折目ｄを介して第１の端板１３を連設する。紙箱１の組立状態で、これらの側板１１、１２と端板１３、１４は折目ａ、ｂ、ｃ、ｄで折曲げられて角筒状となり、第１の端板１３の内面に糊付フラップ１５を貼着して箱胴部１０を形成する。
【００１５】
紙箱１は、第１の側板１１の下辺に折目ｅを介して連設される第１の底板２１と、第２の側板１２の下辺に折目ｆを介して連設される第２の底板２２と、第１の端板１３の下辺に折目ｇを介して連設される第１の底フラップ２３と、第２の端板１４の下辺に折目ｈを介して連設される第２の底フラップ２４を有する。紙箱１の組立状態で、第１の底フラップ２３と第２の底フラップ２４が折目ｇ、ｈで折曲げられて箱胴部１０の底面側に折込まれ、次いで第１の底板２１と第２の底板２２が折目ｅ、ｆで折曲げられる。第１の底板２１の突部２１Ａの裏側に第２の底板２２の糊付部２２Ｂを差し込み、第２の底板２２の突部２２Ａの裏側に第１の底板２１の糊付部２１Ｂが差し込まれた状態で、底板２１の糊付部２１Ｂの表面に底板２２の突部２２Ａを貼着し、底板２２の糊付部２２Ｂの表面に底板２１の突部２１Ａを貼着し、底部２０を形成する。
【００１６】
紙箱１は、第１の側板１１の上辺に折目ｉを介して連設される蓋フラップ３１と、蓋フラップ３１の先端に折目ｊを介して連設される差込片３２を有する。第１の端板１３の上辺に折目ｋを介して連設される第１の端フラップ３３と、第２の端板１４の上辺に折目ｌを介して連設される第２の端フラップ３４を有する。紙箱１の組立状態で、第１の端フラップ３３と第２の端フラップ３４が折目ｋ、ｌで折曲げられて箱胴部１０の開口側に折り込まれ、次いで蓋フラップ３１が折目ｉで折曲げられて上述の折込み済の第１と第２の端フラップ３３、３４の上側に折り込まれ、蓋フラップ３１の先端の差込片３２を第２の側板１２の裏側に差込んで、蓋フラップ３１が閉鎖された蓋部３０を形成する。蓋フラップ３１と各端フラップ３３、３４は、短い第２の端フラップ３４、長い第１の端フラップ３３、最後に蓋フラップ３１の順に折り込まれる。
【００１７】
尚、紙箱１にあっては、第１の端板１３の上辺（折り目ｋ）からの第１の蓋フラップ３３の長さＬ1（図１）が、第１の側板１１の上辺に沿う蓋フラップ３１の長さＬ3（図１）の半分より長く設定されている。第２の端フラップ３４の長さＬ2（図１）は、蓋フラップの３１の長さＬ3の半分より短く、後述する第１の端フラップ３３の係合部５３より短く、即ち、端フラップ３４の先端部が係合部５３まで達しないよう設定されている。さらに、第１の端フラップ３３の先端は、第２の端フラップ３４上に重なるように設定されている。
【００１８】
紙箱１は、第１の端フラップ３３の第１の端板１３の上辺に近接し、第２の側板１２に隣接する辺に凸状の第１の係止部３３Ａが設けられ、第２の端フラップ３４の第２の端板１４の上辺に近接し、第２の側板１２に隣接する辺に凸状の第２の係止部３４Ａが設けられる。紙箱１は、蓋フラップ３１の差込片３２が設けられる辺の両端部に、蓋部３０が上述の如くに蓋フラップ３１を閉鎖された状態で、第１の端フラップ３３の第１の係止部３３Ａと第２の端フラップ３４の第２の係止部３４Ａのそれぞれが係止し得る係止用切込部３１Ａ、３１Ａが設けられる。蓋フラップ３１の閉鎖状態で、蓋フラップ３１はこれらの係止部３３Ａ、３４Ａと係止用切込部３１Ａ、３１Ａが係止してロックされる。
【００１９】
しかるに、紙箱１は、蓋フラップ３１の中央部に吊下げ片４０が連設され、吊下げ必要時にこの吊下げ片４０を用いて吊下げ可能にされるとともに、蓋フラップ３１のロック必要時に上述の係止部３３Ａ、３４Ａと係止用切込部３１Ａ、３１Ａからなる通常のロック手段とは異なるロック部５０により該蓋フラップ３１を容易にロック可能にし、かつ容易にロック解除可能にするため、以下の構成を具備する。
【００２０】
吊下げ片４０は、蓋フラップ３１の中央部に、第１の側板１１の上辺に平行をなす折目ｍを介して連設される。吊下げ片４０は蓋フラップ３１から折目ｍで折曲げられて起立され、吊下げに供される。吊下げ片４０は吊下げ用孔４１を備える。
【００２１】
ロック部５０は、蓋フラップ３１に切欠窓５１が設けられるとともに、この切欠窓５１の窓辺に沿う該窓辺の中央の一部に押込舌片５２が切込形成される。押込舌片５２は、切欠窓５１の窓辺に交差する２条の切込５２Ａ、５２Ａにより挟まれ、両切込５２Ａが窓辺から切込み開始されたそれら切込５２Ａの終端を結ぶ連結部５２Ｂを介して、第１の端フラップ３３の後述する係合部５３を押下するように弾性的に可撓たわみ変形可能にされる。
【００２２】
ロック部５０は、第１の端フラップ３３における蓋フラップ３１の切欠窓５１に臨む部分から、蓋フラップ３１の押込舌片５２の先端部（押込舌片５２が切欠窓５１の窓辺に沿うこととなる部分）とだけ重なる位置まで延在される係合部５３を設ける。第１の端フラップ３３は、係合部５３が押込舌片５２の先端部とだけ重なるように、係合部５３の前縁部を画成する切欠部５４を該係合部５３の前縁側に設け、係合部５３の前縁部が押込舌片５２の先端部と重なるようにする。係合部５３は、特に紙箱１の紙質が厚いとき、切欠部５４に沿う前縁部に交差する２条の切込５３Ａ、５３Ａにより挟まれる舌片状とすることができ、蓋フラップ３１の押込舌片５２により押下されたときに容易に、弾性的に可撓たわみ変形可能にされる。
【００２３】
以上により、紙箱１のロック部５０にあっては、蓋フラップ３１の図３に示した閉鎖状態で、蓋フラップ３１の押込舌片５２が第１の端板３３の係合部５３に対して手指で押し込まれることにより、押込舌片５２と係合部５３の可撓たわみ変形を経て、蓋フラップ３１の押込舌片５２の先端部が図４に示す如く、第１の端フラップ３３の係合部５３の前縁部の裏側に係合して蓋フラップ３１の閉鎖状態をロック可能にする。
【００２４】
他方、蓋フラップ３１の閉鎖状態を図４に示したようにロックした状態で、第１の端フラップ３３における蓋フラップ３１の切欠窓５１に臨む部分（係合部５３そのもの、又は係合部５３の周辺部分でも可）が手指で押し込まれることにより、押込舌片５２と係合部５３の可撓たわみ変形を経て、第１の端フラップ３３の係合部５３の前縁部が図３に示す如く、蓋フラップ３１の押込舌片５２の先端部の裏側に復元して上述の押込舌片５２による係合が外れ、蓋フラップ３１の閉鎖状態のロックを解除する。
【００２５】
また、紙箱１にあっては、蓋フラップ３１に連設される吊下げ片４０が、蓋フラップ３１の切欠窓５１から切り起こされたものとしている。
【００２６】
紙箱１によれば以下の作用効果を奏する。
(a)蓋フラップ３１のロックは、蓋フラップ３１の押込舌片５２を第１の端フラップ３３の係合部５３の裏側に係合させることによりなされるものであり、吊下げ片４０を吊下げ可能にするか否かに関係なくなされる。従って、複数の紙箱１を段積み状態で陳列する等、吊下げないときには、蓋フラップ３１を必ずしもロックする必要がない。また、紙箱１を吊下げるにしても、箱の自重が軽いときには、蓋フラップ３１を必ずしもロックする必要がない。このようなとき、蓋フラップ３１を必要以上にロックすることがなくなり、紙箱１の使い勝手が簡便になる。
【００２７】
(b)蓋フラップ３１のロック必要時には、蓋フラップ３１の押込舌片５２を押し込むだけで容易にロックできる。逆に、蓋フラップ３１を開封するときには、第１の端フラップ３３における蓋フラップ３１の切欠窓５１に臨む部分を押し込むだけで、上述の蓋フラップ３１のロックを容易に解除できる。
【００２８】
(c)第１の端板１３の上辺からの第１の端フラップ３３の長さＬ1が、第１の側板１１の上辺に沿う蓋フラップ３１の長さＬ2の半分より長く、第１の端フラップ３３の先端が第２の端フラップ３４の上に重なる。蓋フラップ３１のロック必要時に、蓋フラップ３１の押込舌片５２の先端が第１の端フラップ３３の係合部５３の上面に載って押込まれるものになるが、第１の端フラップ３３の先端が第２の端フラップ３４の上に重ねられて支持される結果、第１の端フラップ３３が蓋フラップ３１からの押し込み力により下方に逃げることがない。押し込まれる蓋フラップ３１の押込舌片５２が第１の端フラップ３３の係合部５３の裏側に確実に係合するものになる。
【００２９】
(d)蓋フラップ３１に連設される吊下げ片４０が蓋フラップ３１の切欠窓５１から切り起こされたものである。吊下げ片４０の切り起こしにより蓋フラップ３１の切欠窓５１を直ちに形成できるし、その切欠窓５１に沿う一部に直ちに押込舌片５２を切込形成できる。また、蓋フラップ３１のロック必要時に、蓋フラップ３１の押込舌片５２を第１の端フラップ３３の係合部５３の裏側に係合させたとき、押込舌片５２により裏側から持ち上げられる第１の端フラップ３３の係合部５３がその上の吊下げ片４０を切欠窓５１から起こし易くする。
【００３０】
(e)第１の端フラップ３３の係合部５３が舌片状をなすとき、紙箱１の紙質が硬くても、蓋フラップ３１のロック必要時に蓋フラップ３１の押込舌片５２により係合部５３を押し込み易くし、蓋フラップ３１のロックを容易にする。
【００３１】
(f)第１の端フラップ３３の第１の係止部３３Ａと第２の端フラップ３４の第２の係止部３４Ａのそれぞれが係止し得る係止用切込部３１Ａ、３１Ａを、蓋フラップ３１の差込片３２が設けられる辺の両端部に設ける。蓋フラップ３１の閉鎖時に、蓋フラップ３１の押込舌片５２と第１の端フラップ３３の係合部５３を係合させる本発明のロック部５０の適用による蓋フラップ３１のロックの有無に関係なく、上述の第１と第２の係止部３３Ａ、３４Ａと係止用切込部３１Ａ、３１Ａを係止させる通常のロック手段により蓋フラップ３１を常にロックできる。箱の自重が重いときには、本発明のロック部５０を適用して蓋フラップ３１を頑丈にロックできるから、通常のロック手段による蓋フラップ３１のロックは頑丈にする必要がなく、蓋フラップ３１の開封時にこれを解除容易にすることができ、紙箱１の使い勝手を簡便にしながら、蓋フラップ３１の閉鎖時に蓋フラップ３１を常にロックすることができる。
【産業上の利用可能性】
【００３２】
本発明は、吊下げ必要時に吊下げ可能にされる紙箱において、蓋フラップのロック必要時に該蓋フラップを容易にロック可能にし、かつ容易にロック解除可能にすることができる。
【符号の説明】
【００３３】
１  紙箱
１０  箱胴部
１１  第１の側板
１２  第２の側板
１３  第１の端板
１４  第２の端板
３０  蓋部
３１  蓋フラップ
３１Ａ  係止用切込部
３２  差込片
３３  第１の端フラップ
３３Ａ  第１の係止部
３４  第２の端フラップ
３４Ａ  第２の係止部
４０  吊下げ片
５０  ロック部
５１  切欠窓
５２  押込舌片
５２Ａ  切込
５３  係合部
５３Ａ  切込
【図１】
2010208674.tif 000003
【図２】
2010208674.tif 000004
【図３】
2010208674.tif 000005
【図４】
2010208674.tif 000006
【図５】
2010208674.tif 000007